(57)【要約】【課題】室内における床面に、フェンスを立てた状態で簡単に設置することができ、しかも、床面からの撤去も容易で、コンパクトに収納することもできる室内用フェンス装置を提供する。【解決手段】本発明は、互いの裏面同士を対峙させて掛止手段を介して組み付ける一対のフェンス体から構成される室内用フェンス装置であり、この室内用フェンス装置は伸縮自在であると共に、直立手段を備えている。また、一対のフェンス体を組み付ける掛止手段は、一方のフェンス体に取り付けられている下向きフック部材と、他方のフェンス体に取り付けられている上向きフック部材により構成されている。さらに、室内用フェンス装置の直立手段は、各々のフェンス体において下側に配置されている横枠部、または、縦枠部に取り付けた旋回可能な脚部により構成されている。【選択図】図１
2010281148.tif 000002
【特許請求の範囲】
【請求項１】
互いの裏面同士を対峙させて掛止手段を介して組み付ける一対のフェンス体から構成される室内用フェンス装置であり、この室内用フェンス装置は、伸縮自在であることを特徴とする室内用フェンス装置。
【請求項２】
互いの裏面同士を対峙させて組み付ける一対のフェンス体から構成される室内用フェンス装置であり、この室内用フェンス装置は、直立手段を備えていることを特徴とする室内用フェンス装置。
【請求項３】
互いの裏面同士を対峙させて掛止手段を介して組み付ける一対のフェンス体から構成される室内用フェンス装置であり、この室内用フェンス装置は伸縮自在であると共に、直立手段を備えていることを特徴とする室内用フェンス装置。
【請求項４】
室内用フェンス装置を構成する一対のフェンス体の各々は、所定の間隔を保持して上下に配置されている横枠部と、両横枠部の一端部同士を連結した縦枠部により全体が略コ字形に形成され、両横枠部間には、縦枠部に沿うように複数の棒状部材が並設されている請求項１乃至３のいずれかに記載の室内用フェンス装置。
【請求項５】
室内用フェンス装置を構成する一対のフェンス体の各々は、いずれも縦枠部を外側に配置している請求項４に記載の室内用フェンス装置。
【請求項６】
一対のフェンス体を組み付ける掛止手段は、一方のフェンス体における下側に配置されている横枠部の裏面に取り付けられている下向きフック部材と、他方のフェンス体における上側に配置されている横枠部の裏面に取り付けられている上向きフック部材により構成されている請求項１または３、請求項４または５のいずれかに記載の室内用フェンス装置。
【請求項７】
下向きフック部材と上向きフック部材は、いずれも縦方向のスリット部を有する請求項６に記載の室内用フェンス装置。
【請求項８】
下向きフック部材と上向きフック部材は、全体が略コ字形に形成されている各々のフェンス体の開放部近傍の横枠部に取り付けられている請求項６または７に記載の室内用フェンス装置。
【請求項９】
室内用フェンス装置の直立手段は、各々のフェンス体において下側に配置されている横枠部に取り付けた水平板部材により形成されている請求項２または３、請求項４または５のいずれかに記載の室内用フェンス装置。
【請求項１０】
室内用フェンス装置の直立手段は、各々のフェンス体において下側に配置されている横枠部、または、縦枠部に取り付けた旋回可能な脚部により構成されている請求項２または３、請求項４または５のいずれかに記載の室内用フェンス装置。
【請求項１１】
直立手段を構成する旋回可能な脚部は、上側水平脚部と下側水平脚部を積層状に取り付けて形成されている請求項１０に記載の室内用フェンス装置。
【請求項１２】
旋回可能な脚部を形成する上側水平脚部と下側水平脚部は、各々の基端部分をフェンス体の横枠部、または、縦枠部に軸支して、水平方向に旋回できるように取り付けられている請求項１１に記載の室内用フェンス装置。
【請求項１３】
旋回可能な脚部を形成する上側水平脚部は、先端側部分に下向きの高さ保持部材を有する請求項１１または１２に記載の室内用フェンス装置。
【請求項１４】
旋回可能な脚部を形成する下側水平脚部は、上側水平脚部よりも短く形成されている請求項１１または１２に記載の室内用フェンス装置。
【請求項１５】
旋回可能な脚部を形成する上側水平脚部は、基端側部分における上下の両面に、切り欠いた段差面部を有する請求項１１乃至１３のいずれかに記載の室内用フェンス装置。
【請求項１６】
旋回可能な脚部を形成する下側水平脚部は、基端側部分における上面に、上方に向けて突出させた柱部を有する請求項１１または１２、請求項１４のいずれかに記載の室内用フェンス装置。
【請求項１７】
室内用フェンス装置の直立手段は、各々のフェンス体における横枠部の水平状態を維持する固定脚部を備えている請求項１０に記載の室内用フェンス装置。
【発明の詳細な説明】
【技術分野】
【０００１】
本発明は、例えば、幼児や、種々のペット類、ボール等の玩具類等が、室内のキッチンや玄関等の特定の場所に侵入してしまう事態の発生を防止するために、室内における床面の所定の場所に設置する、室内用フェンス装置に関するものである。
【背景技術】
【０００２】
従来において、この種の室内用フェンスとしては、例えば、特許文献１に開示されているように、柱や壁に対して着脱自在な取付部を、互いに対面する柱や壁に取り付けることにより、柱や壁の間の空間を塞ぐことができる柵が存在する。
【０００３】
この柵の取付部は、枠体の左側部及び右側部の上部から側方に向かって、また、下部の両側端部から側方に向かってそれぞれ突設されるボールねじにより構成されており、回転方向により柵の側方に伸縮可能に突出するねじ部を備えている。
【０００４】
そして、ねじ部の先端には、これと一体に伸縮方向に移動するように圧接部が設けられており、圧接部の柱や壁等に当接する部分は、ゴム等の柔軟素材により形成されている。
【０００５】
柵を取り付ける際には、この柵を互いに対向している柱や壁の間に設置し、それぞれのねじ部を突出方向に回転させ、圧接部の先端を柱や壁に当接させる。
【０００６】
そして、ねじ部をさらに突出方向に回転させて、圧接部の先端を柱や壁に強く押し付けることにより、所謂突っ張った状態にして、柵が取り付けられるのである。
【先行技術文献】
【特許文献】
【０００７】
【特許文献１】特開２００２−２１３７６号公報
【発明の概要】
【発明が解決しようとする課題】
【０００８】
しかしながら、特許文献１に開示されている柵は、柵の側方にある取付部における伸縮可能なボールねじを突出方向に回転させ、圧接部の先端を柱や壁に強く押し付けることにより、所謂突っ張った状態にして固定するものであるため、その設置作業が非常に面倒である。また、圧接部の先端を柱や壁に強く押し付けるため、柱や壁に傷が生じることがある。
【０００９】
さらに、圧接部の先端を柱や壁に強く押し付けて柵を取り付けることから、撤去のためのボールねじの回転操作も非常に面倒である。
【００１０】
また、階段の上がり口等、圧接部を強く押し付ける柱や壁が存在しない場所においては、このようなボールねじを用いた柵を設置することができない事態が生じていた。
【００１１】
そこで、本発明は如上のような従来存した諸事情に鑑み創出されたもので、室内における床面に、フェンスを立てた状態で簡単に設置することができ、しかも、床面からの撤去も極めて容易である室内用フェンス装置を提供することを目的とする。
【課題を解決するための手段】
【００１２】
本発明は、互いの裏面同士を対峙させて掛止手段を介して組み付ける一対のフェンス体から構成される室内用フェンス装置であり、この室内用フェンス装置は、伸縮自在であることで、上述した課題を解決した。
【００１３】
また、本発明は、互いの裏面同士を対峙させて組み付ける一対のフェンス体から構成される室内用フェンス装置であり、この室内用フェンス装置は、直立手段を備えていることで、同じく上述した課題を解決した。
【００１４】
さらに、本発明は、互いの裏面同士を対峙させて掛止手段を介して組み付ける一対のフェンス体から構成される室内用フェンス装置であり、この室内用フェンス装置は伸縮自在であると共に、直立手段を備えていることで、同じく上述した課題を解決した。
【００１５】
また、室内用フェンス装置を構成する一対のフェンス体の各々は、所定の間隔を保持して上下に配置されている横枠部と、両横枠部の一端部同士を連結した縦枠部により全体が略コ字形に形成され、両横枠部間には、縦枠部に沿うように複数の棒状部材が並設されていることで、同じく上述した課題を解決した。
【００１６】
加えて、室内用フェンス装置を構成する一対のフェンス体の各々は、いずれも縦枠部を外側に配置していることで、同じく上述した課題を解決した。
【００１７】
また、一対のフェンス体を組み付ける掛止手段は、一方のフェンス体における下側に配置されている横枠部の裏面に取り付けられている下向きフック部材と、他方のフェンス体における上側に配置されている横枠部の裏面に取り付けられている上向きフック部材により構成されていることで、同じく上述した課題を解決した。
【００１８】
この他、下向きフック部材と上向きフック部材は、いずれも縦方向のスリット部を有することで、同じく上述した課題を解決した。
【００１９】
また、下向きフック部材と上向きフック部材は、全体が略コ字形に形成されている各々のフェンス体の開放部近傍の横枠部に取り付けられていることで、同じく上述した課題を解決した。
【００２０】
さらに、室内用フェンス装置の直立手段は、各々のフェンス体において下側に配置されている横枠部に取り付けた水平板部材により形成されていることで、同じく上述した課題を解決した。
【００２１】
また、室内用フェンス装置の直立手段は、各々のフェンス体において下側に配置されている横枠部、または、縦枠部に取り付けた旋回可能な脚部により構成されていることで、同じく上述した課題を解決した。
【００２２】
加えて、直立手段を構成する旋回可能な脚部は、上側水平脚部と下側水平脚部を積層状に取り付けて形成されていることで、同じく上述した課題を解決した。
【００２３】
また、旋回可能な脚部を形成する上側水平脚部と下側水平脚部は、各々の基端部分をフェンス体の横枠部、または、縦枠部に軸支して、水平方向に旋回できるように取り付けられていることで、同じく上述した課題を解決した。
【００２４】
この他、旋回可能な脚部を形成する上側水平脚部は、先端側部分に下向きの高さ保持部材を有することで、同じく上述した課題を解決した。
【００２５】
また、旋回可能な脚部を形成する下側水平脚部は、上側水平脚部よりも短く形成されていることで、同じく上述した課題を解決した。
【００２６】
さらに、旋回可能な脚部を形成する上側水平脚部は、基端側部分における上下の両面に、切り欠いた段差面部を有することで、同じく上述した課題を解決した。
【００２７】
また、旋回可能な脚部を形成する下側水平脚部は、基端側部分における上面に、上方に向けて突出させた柱部を有することで、同じく上述した課題を解決した。
【００２８】
加えて、室内用フェンス装置の直立手段は、各々のフェンス体における横枠部の水平状態を維持する固定脚部を備えていることで、同じく上述した課題を解決した。
【発明の効果】
【００２９】
本発明は、互いの裏面同士を対峙させて掛止手段を介して組み付ける一対のフェンス体から構成される室内用フェンス装置であり、この室内用フェンス装置は、伸縮自在であることから、室内用フェンス装置を設置する場所に応じて、好ましい長さの室内用フェンス装置を容易に形成することができる。
【００３０】
また、本発明は、互いの裏面同士を対峙させて組み付ける一対のフェンス体から構成される室内用フェンス装置であり、この室内用フェンス装置は、直立手段を備えていることから、好ましい長さの室内用フェンス装置を、室内における床面に立てた状態で簡単に設置することができる。
【００３１】
さらに、本発明は、互いの裏面同士を対峙させて掛止手段を介して組み付ける一対のフェンス体から構成される室内用フェンス装置であり、この室内用フェンス装置は伸縮自在であると共に、直立手段を備えていることから、掛止手段により長さの調整を自由に行って、設置する場所に適宜対応した好ましい長さの室内用フェンス装置を容易に形成することができる。また、直立手段により、室内において床面が存在すれば、誰もがこの室内用フェンス装置を立てた状態で簡単に設置することができる。
【００３２】
また、室内用フェンス装置を構成する一対のフェンス体の各々は、所定の間隔を保持して上下に配置されている横枠部と、両横枠部の一端部同士を連結した縦枠部により全体が略コ字形に形成され、両横枠部間には、縦枠部に沿うように複数の棒状部材が並設されていることから、この一対のフェンスの裏面同士を対峙させて組み付け、室内における床面に立てた状態で設置したときには、例えば、幼児や、種々のペット類、ボール等の玩具類等が、室内におけるキッチンや玄関等の特定の場所に侵入してしまう事態の発生を確実に防止することができる。
【００３３】
加えて、室内用フェンス装置を構成する一対のフェンス体の各々は、いずれも縦枠部を外側に配置した状態でその裏面同士を対峙させて組み付けていることから、室内用フェンス装置自体の堅牢性を充分に確保することができる。また、室内用フェンス装置の長さの調整を、各々のフェンス体における縦枠部の内側において容易に行うことができる。
【００３４】
この他、一対のフェンス体を組み付ける掛止手段は、一方のフェンス体における下側に配置されている横枠部の裏面に取り付けられている下向きフック部材と、他方のフェンス体における上側に配置されている横枠部の裏面に取り付けられている上向きフック部材により構成されていることから、掛止手段を比較的に容易に製作することができる。
【００３５】
そして、この掛止手段は、一方のフェンス体における下向きフック部材を、他方のフェンス体の下側に位置している横枠部に上方から載せて掛止し、また、一方のフェンス体における上側に位置している横枠部を、他方のフェンス体における上向きフック部材に上方から載せて掛止することから、一方のフェンス体自身の重みにより、一方のフェンス体の下向きフック部材が他方のフェンス体の横枠部を上方からしっかりと掴んで、一方のフェンス体の下向きフック部材が他方のフェンス体の横枠部に下方から支持されている状態を維持することができる。
【００３６】
同様に、一方のフェンス体自身の重みにより、他方のフェンス体の上向きフック部材が一方のフェンス体の横枠部を下方からしっかりと掴んで、一方のフェンス体の横枠部が他方のフェンス体の上向きフック部材に下方から支持されている状態を維持することができる。
【００３７】
このような掛止手段により、一対のフェンス体の裏面同士が対峙した状態で、しっかりと組み付けられるのである。
【００３８】
また、下向きフック部材と上向きフック部材は、いずれも縦方向のスリット部を有することから、一方のフェンス体の下向きフック部材は、他方のフェンス体において並設されている所定の棒状部材をスリット部に導入している状態で、他方のフェンス体の下側に位置している横枠部に上方から載せて掛止する。同様に、他方のフェンス体の上向きフック部材は、一方のフェンス体において並設されている所定の棒状部材をスリット部に導入している状態で、他方のフェンス体の上向きフック部材に一方のフェンス体の上側に位置している横枠部を上方から載せて掛止する。その為、一対のフェンス体を組み付けた室内用フェンス装置の長さを確実に保持することができる。
【００３９】
即ち、一方のフェンス体の下向きフック部材は、他方のフェンス体において並設されている所定の棒状部材をスリット部に導入している状態で、一方のフェンス体の下向きフック部材が他方のフェンス体の横枠部を上方からしっかりと掴んでいる。その為、一方のフェンス体の下向きフック部材は、スリット部に導入している他方のフェンス体の棒状部材の存在により、他方のフェンス体の横枠部の長手方向に沿った移動が阻止されている。
【００４０】
同様に、他方のフェンス体の上向きフック部材は、一方のフェンス体において並設されている所定の棒状部材をスリット部に導入している状態で、他方のフェンス体の上向きフック部材が一方のフェンス体の横枠部を下方からしっかりと掴んでいる。その為、他方のフェンス体の上向きフック部材は、スリット部に導入している一方のフェンス体の棒状部材の存在により、一方のフェンス体の横枠部の長手方向に沿った移動が阻止されている。以上のことから、一対のフェンス体を組み付けている室内用フェンス装置の長さが確実に保持されるのである。
【００４１】
また、室内用フェンス装置の使用に際し、室内用フェンス装置の長さを決定するときは、一対のフェンス体を互いにフリーな状態にし、一方のフェンス体の下向きフック部材のスリット部に他方のフェンス体に並設されている任意の位置の棒状部材を宛がう。
【００４２】
すると、他方のフェンス体の上向きフック部材のスリット部に導入される一方のフェンス体の所定の棒状部材が、上向きフック部材のスリット部に自ずと宛がわれる。
【００４３】
この状態で、一方のフェンス体を他方のフェンス体に向けて若干押し込むことで、ぞれぞれのスリット部に棒状部材が導入される。このように、一方のフェンス体の下向きフック部材のスリット部に、他方のフェンス体に並設されている任意の位置の棒状部材を宛がう（他方のフェンス体の上向きフック部材のスリット部に、一方のフェンス体に並設されている任意の位置の棒状部材を宛がう）ことにより、他方のフェンス体の上向きフック部材のスリット部に導入される一方のフェンス体の棒状部材が自ずと定まり（一方のフェンス体の下向きフック部材のスリット部に導入される他方のフェンス体の棒状部材が自ずと定まり）、室内用フェンス装置の長さを自由に調整できるのである。
【００４４】
そして、一方のフェンス体を若干下方に降ろすことで、一方のフェンス体の下向きフック部材を他方のフェンス体の横枠部に載せて掛止する。同時に、一方のフェンス体の横枠部を、他方のフェンス体の上向きフック部材に載せて掛止する。このように、室内用フェンス装置の長さを自由に調整することにより、室内における設置場所に応じた好ましい長さの室内用フェンス装置を容易に形成することができるのである。
【００４５】
この他、室内用フェンス装置の直立手段は、各々のフェンス体において下側に配置されている横枠部に取り付けた水平板部材により形成されていることから、室内においてこの水平板部材を載置する部分があれば、床面におけるどのような場所においても、誰もが室内用フェンス装置を立てた状態で簡単に設置することができる。
【００４６】
このとき、室内用フェンス装置の直立手段は、柱や壁に強く押し付けて、所謂突っ張り状態とするものではないため、柱や壁に傷が生じることもない。
【００４７】
また、室内用フェンス装置の直立手段は、各々のフェンス体において下側に配置されている横枠部、または、縦枠部に取り付けた旋回可能な脚部により構成されていることから、この旋回可能な脚部により、室内用フェンス装置を安定した状態で立てることができる。
【００４８】
さらに、直立手段を構成する旋回可能な脚部は、上側水平脚部と下側水平脚部を積層状に取り付けて形成されていることから、この上側水平脚部と下側水平脚部のそれぞれを旋回させて、室内用フェンス装置を安定した状態で立てることができる。
【００４９】
また、旋回可能な脚部を形成する上側水平脚部と下側水平脚部は、各々の基端部分をフェンス体の横枠部、または、縦枠部に軸支して、水平方向に旋回できるように取り付けられていることから、例えば、上側水平脚部の長手方向、下側水平脚部の長手方向の各々が、横枠部の長手方向と並行となる位置から、横枠部の表面・裏面に直交する位置に旋回でき、この横枠部の表面・裏面に直交する位置の上側水平脚部と下側水平脚部により、室内用フェンス装置を安定した状態で立てることができる。
【００５０】
この他、上側水平脚部の長手方向、下側水平脚部の長手方向の各々を、横枠部の長手方向と並行となるように旋回させたときは、上側水平脚部と下側水平脚部が横枠部に沿って収まる。その為、上側水平脚部と下側水平脚部が邪魔になることがなく、室内用フェンス装置をコンパクトに収納することができる。
【００５１】
また、旋回可能な脚部を形成する上側水平脚部は、先端側部分に下向きの高さ保持部材を有することから、室内用フェンス装置を床面に設置した時に、上側水平脚部と下側水平脚部のいずれもが床面に接して、室内用フェンス装置を安定した状態で立てることができる。
【００５２】
さらに、旋回可能な脚部を形成する下側水平脚部は、上側水平脚部よりも短く形成されているので、例えば、上側水平脚部の長手方向、下側水平脚部の長手方向の各々を、横枠部の長手方向と並行となるように旋回させたときは、例えば、上側水平脚部と下側水平脚部の先端部同士が同一方向を向いた状態で、下側水平脚部の全体を上側水平脚部に沿ってその内側に収めることができる。
【００５３】
また、旋回可能な脚部を形成する上側水平脚部は、基端側部分における上下の両面に、切り欠いた段差面部を有している。その為、この上方の切り欠いた段差面部を横枠部や縦枠部に係合させることにより、上側水平脚部は、横枠部の表面・裏面に直交した状態を固定的に維持することができる。
【００５４】
加えて、旋回可能な脚部を形成する下側水平脚部は、基端側部分における上面に、上方に向けて突出させた柱部を有することから、横枠部の表面・裏面に直交した状態を固定的に維持している上側水平脚部における下方の切り欠いた段差面部に柱部を係合させることにより、例えば、上側水平脚部と下側水平脚部の先端部同士が反対向きになって、直線状に配置した状態を固定的に維持することができる。
【００５５】
また、下側水平脚部の向きを変えて、上側水平脚部における下方の切り欠いた段差面部に柱部を係合させることにより、例えば、上側水平脚部と下側水平脚部の先端部同士が同一方向を向いて、積層している状態を固定的に維持することができる。
【００５６】
この他、室内用フェンス装置の直立手段は、各々のフェンス体における横枠部の水平状態を維持する固定脚部を備えていることにより、室内用フェンス装置を常に安定した状態で床面に設置することができる。
【図面の簡単な説明】
【００５７】
【図１】上側水平脚部と下側水平脚部による直立手段を備えた室内用フェンス装置を、一方のフェンス体側から見た状態を示す斜視図である。
【図２】上側水平脚部と下側水平脚部による直立手段を備えた室内用フェンス装置を、他方のフェンス体側から見た状態を示す斜視図である。
【図３】上側水平脚部と下側水平脚部による直立手段を備えた室内用フェンス装置を、一方のフェンス体側から見た状態を示す分解斜視図である。
【図４】上側水平脚部と下側水平脚部による直立手段を備えた室内用フェンス装置を、他方のフェンス体側から見た状態を示す分解斜視図である。
【図５】上側水平脚部と下側水平脚部による直立手段を備えた室内用フェンス装置を、長くしている状態を示す斜視図である。
【図６】室内用フェンス装置を短くしている状態を示し、（ａ）は下向きフック部材を横枠部の上に載せる前の状態を他方のフェンス体側から見た斜視図、（ｂ）は下向きフック部材を横枠部の上に載せた後の状態を他方のフェンス体側から見た斜視図である。
【図７】下向きフック部材の使用状態を示し、（ａ）は下向きフック部材を横枠部の上に載せる前の状態を示す拡大斜視図、（ｂ）は下向きフック部材を横枠部の上に載せた後の状態を示す拡大斜視図である。
【図８】室内用フェンス装置を短くしている状態を示し、（ａ）は横枠部を上向きフック部材の上に載せる前の状態を一方のフェンス体側から見た斜視図、（ｂ）は横枠部を上向きフック部材の上に載せた後の状態を一方のフェンス体側から見た斜視図である。
【図９】上向きフック部材の使用状態を示し、（ａ）は横枠部を上向きフック部材に上の載せる前の状態を示す拡大斜視図、（ｂ）は横枠部を上向きフック部材に上の載せた後の状態を示す拡大斜視図である。
【図１０】フェンス体への直立手段である上側水平脚部と下側水平脚部の取付例を示すもので、（ａ）はフェンス体の横枠部に直交するように取り付けた上側水平脚部に、下側水平脚部を反対の向きに組み付けてネジで固定する状態を示す分解斜視図、（ｂ）はネジで固定した状態を示す斜視図である。
【図１１】フェンス体への直立手段である上側水平脚部と下側水平脚部の取付例を示すもので、フェンス体の横枠部に直交するように取り付けた上側水平脚部に、下側水平脚部を同一の向きに組み付けてネジで固定した状態を示す斜視図である。
【図１２】室内用フェンス装置の使用状態を示すもので、所定の通路を形成している床面において、左右の側壁の間に室内用フェンス装置を設置した状態を示す斜視図である。
【図１３】室内用フェンス装置の使用状態を示すもので、所定の通路を形成している床面において、左右の側壁の手前側に室内用フェンス装置を設置した状態を示す斜視図である。
【図１４】上側水平脚部の長手方向、下側水平脚部の長手方向の各々を、横枠部の長手方向と並行となるように旋回させている状態を示す斜視図である。
【図１５】上側水平脚部の長手方向、下側水平脚部の長手方向の各々を、横枠部の長手方向と並行となるように旋回させている状態の室内用フェンス装置を、狭所空間に押し込む状態を示す斜視図である。
【図１６】上側水平脚部の長手方向、下側水平脚部の長手方向の各々を、横枠部の長手方向と並行となるように旋回させている状態の室内用フェンス装置を、側壁に沿うように立て掛けている状態を示す斜視図である。
【図１７】他の構成例を示す室内用フェンス装置を、他方のフェンス体側から見た状態を示す斜視図である。
【図１８】他の構成例を示す室内用フェンス装置について、上側水平脚部の長手方向、下側水平脚部の長手方向の各々を、横枠部の長手方向と並行となるように旋回させている状態を示す斜視図である。
【図１９】他の構成例を示す室内用フェンス装置について、フェンス体への直立手段である上側水平脚部と下側水平脚部の取付例を示すもので、（ａ）はフェンス体の横枠部に直交するように取り付けた上側水平脚部に、下側水平脚部を反対の向きに組み付けてネジで固定した状態を示す斜視図、（ｂ）はフェンス体の横枠部に直交するように取り付けた上側水平脚部に、下側水平脚部を同一の向きに組み付けてネジで固定した状態を示す斜視図である。
【図２０】他の構成例を示す室内用フェンス装置について、上側水平脚部の長手方向、下側水平脚部の長手方向の各々を、横枠部の長手方向と並行となるように旋回させている状態を示す斜視図である。
【図２１】直立手段として水平板部材を備えている室内用フェンス装置を、一方のフェンス体側から見た状態を示す斜視図である。
【図２２】直立手段として水平板部材を備えている室内用フェンス装置を、他方のフェンス体側から見た状態を示す斜視図である。
【図２３】直立手段として水平板部材を備えている室内用フェンス装置を、一方のフェンス体側から見た状態を示す分解斜視図である。
【図２４】水平板部材による直立手段を備えた室内用フェンス装置を、他方のフェンス体側から見た状態を示す分解斜視図である。
【図２５】直立手段として水平板部材を備えている他の構成例の室内用フェンス装置を、一方のフェンス体側から見た状態を示す斜視図である。
【図２６】直立手段として水平板部材を備えている他の構成例の室内用フェンス装置を、他方のフェンス体側から見た状態を示す斜視図である。
【図２７】直立手段として水平板部材を備えている他の構成例の室内用フェンス装置を、一方のフェンス体側から見た状態を示す分解斜視図である。
【図２８】直立手段として水平板部材を備えている他の構成例の室内用フェンス装置を、他方のフェンス体側から見た状態を示す斜視図である。
【発明を実施するための形態】
【００５８】
以下に、本発明を実施するための形態を、図面を参照して詳細に説明する。
【００５９】
本発明に係る室内用フェンス装置Ｐは、図１２・図１３に示すように、例えば、室内における玄関の近くにおいて、所定の通路を形成している床面に設置して、幼児や、種々のペット類、ボール等の玩具類等が、玄関部分に侵入してしまうような事態の発生を防止するものである。
【００６０】
尚、室内用フェンス装置Ｐは、玄関の近くの床面に設置することに限定されることはなく、例えば、キッチンや廊下、ベランダの近く等、床面におけるどのような場所に設置しても良い。
【００６１】
室内用フェンス装置Ｐは、図１乃至図４に示すように、互いの裏面同士を対峙させ、後述する掛止手段Ｆを介して組み付ける一対のフェンス体１ａ，１ｂから構成されている。これらのフェンス体１ａ，１ｂは、互いの裏面同士を対峙させて組み付けるものであるが、図３・図４に示すように、基本的に同じ高さと横幅を備えた同一形状に形成されている。
【００６２】
具体的には、各々のフェンス体１ａ，１ｂは、図３・図４に示すように、所定の間隔を保持して上下に配置されている横枠部２，３と、両横枠部２，３の一端部同士を連結した縦枠部４により、全体が略コ字形に形成されている。
【００６３】
尚、図に示す各々のフェンス体１ａ，１ｂは、横枠部３の側端部に縦枠部４を固定しているが、これに限定されることはなく、横枠部３に載せるようにして縦枠部４を固定しても良い。
【００６４】
また、両横枠部２，３間には、図３・図４に示すように、縦枠部４に沿うように複数の縦方向の棒状部材Ｌ１が並設されている。各棒状部材Ｌ１の間には、所定の隙間が生じている。そして、これらの棒状部材Ｌ１の上部と下部には、横方向の棒状部材Ｌ２が付設されている。
【００６５】
さらに、上側の横枠部２は、一端面が平滑面で、他端面が円弧状に膨らんだ曲面となっており、全体が略蒲鉾形に形成されている。各々のフェンス体１ａ，１ｂは、図１・図２に示すように、横枠部２の平滑面（裏面）同士を対峙させて組み付け、横枠部２の円弧状に膨らんだ曲面を表面として位置させている。
【００６６】
そして、この室内用フェンス装置Ｐを構成する一対のフェンス体１ａ，１ｂは、フック構造による掛止手段Ｆを介して、互いの裏面同士を対峙させて組み付けている。このとき、一対のフェンス体１ａ，１ｂは、図３・図４に示すように、いずれも縦枠部４を外側に配置した状態で、互いの裏面同士を組み付けている。
【００６７】
室内用フェンス装置Ｐの掛止手段Ｆは、室内用フェンス装置Ｐを好ましい長さにすると共に、組み付けた一対のフェンス体１ａ，１ｂの任意の長さを保持するものである。
【００６８】
すなわち、掛止手段Ｆは、図３・図４に示すように、一方のフェンス体１ａにおける下側に配置されている横枠部３の裏面に取り付けられている下向きフック部材５と、他方のフェンス体１ｂにおける上側に配置されている横枠部２の裏面に取り付けられている上向きフック部材６により構成されている。
【００６９】
また、下向きフック部材５と上向きフック部材６は、図３・図４に示すように、全体が略コ字形に形成されている各々のフェンス体１ａ，１ｂの開放部近傍の横枠部２，３に取り付けられている。
【００７０】
一方のフェンス体１ａにおける下向きフック部材５は、図７（ａ）（ｂ）に示すように、他方のフェンス体１ｂの下側に位置している横枠部３に上方から載せ、横枠部３の上部で掛止するものである。また、他方のフェンス体１ａにおける上向きフック部材６は、図９（ａ）（ｂ）に示すように、一方のフェンス体１ａにおける上側に位置している横枠部２を上方から載せ、横枠部２の下部で掛止するものである。
【００７１】
下向きフック部材５の具体的な構成としては、図７（ａ）に示すように、一方のフェンス体１ａにおける下側の横枠部３の裏面にタッピングネジ等によってネジ止め固定されるための一対のネジ挿通孔を有する矩形板状の取付ベース部７と、取付ベース部７の上端縁から水平に延びた水平面部８と、水平面部８の先端から下方に延びた垂直面部９とから成り、垂直面部９の下端中央から水平面部８にかけて、スリット部１１が設けられている。このスリット部１１は、他方のフェンス体１ｂにおける縦方向の棒状部材Ｌ１を導入する部分である。
【００７２】
また、上向きフック部材６の具体的な構成としては、図９（ａ）に示すように、他方のフェンス体１ｂにおける上側の横枠部２の平滑面（裏面）にタッピングネジ等によってネジ止め固定されるための一対のネジ挿通孔を有する矩形板状の取付ベース部７と、取付ベース部７の下端縁から水平に延びた水平面部８と、水平面部８の先端から斜め前方に向けて湾曲状に延びた斜行面部１０とから成る。
【００７３】
この上向きフック部材６の斜行面部１０は、一方のフェンス体１ａにおいて、全体が略蒲鉾形に形成されている上側の横枠部２における円弧状に膨らんだ曲面の形状に対応している。さらに、斜行面部１０の上端中央から水平面部８にかけて、スリット部１１が設けられている。このスリット部１１は、一方のフェンス体１ａにおける縦方向の棒状部材Ｌ１を導入する部分である。
【００７４】
この他、室内用フェンス装置Ｐは、室内における床面に設置したとき、各々のフェンス体１ａ，１ｂが立っている状態を維持するための直立手段Ｒを備えている。
【００７５】
この室内用フェンス装置Ｐの直立手段Ｒは、図１０（ａ）（ｂ）、図１１に示すように、各々のフェンス体１ａ，１ｂにおいて、縦枠部４の下端部に取り付けた旋回可能な上側水平脚部１２と下側水平脚部１３により構成されている。
【００７６】
具体的には、上側水平脚部１２と下側水平脚部１３を、積み重ねた状態で縦枠部４の下端部に取り付けている。また、上側水平脚部１２と下側水平脚部１３は、各々の基端部分を縦枠部４の下端部に軸支して、水平方向に旋回できるように取り付けられている。
【００７７】
尚、図に示す直立手段Ｒは、縦枠部４の下端部に取り付けられているが、これに限定されることはなく、各々のフェンス体１ａ，１ｂにおいて、下側に配置されている横枠部２の下端部に取り付けても良い。
【００７８】
直立手段Ｒを構成する上側水平脚部１２は、図１０（ａ）に示すように、所定の厚みを有する比較的に長尺な長方形の板状に形成されている。上側水平脚部１２の先端側には、下方に向けて円柱状に突き出た高さ保持部材１７が設けられている。この高さ保持部材１７の下端部が、床面に当接するのである。また、高さ保持部材１７の下端部が床面に当接して上側水平脚部１２が床面に支持されたときには、床面と上側水平脚部１２の下側の間に所定の空間が生じるようになっている。高さ保持部材１７の下面には、ゴム等を素材として用いた円形の滑り止め部材１８が付設されている。
【００７９】
さらに、上側水平脚部１２の基端側部分には、図１０（ａ）に示すように、上下の両面に、凹状に切り欠いた段差面部１４ａ，１４ｂを有している。また、上下の切り欠いた段差面部１４ａ，１４ｂに挟まれるように突出している板片２１には、ネジ挿通孔を設けている。
【００８０】
上方の切り欠いた段差面部１４ａは、図１０（ａ）（ｂ）に示すように、長方形の柱状に形成されている縦枠部４における下端部の形状に合致するものである。
【００８１】
一方、直立手段Ｒを構成する下側水平脚部１３は、所定の厚みを有する長方形の板状に形成されている。この下側水平脚部１３は、図１１に示すように、上側水平脚部１２よりも短くなるように形成されている。
【００８２】
そして、下側水平脚部１３は、前記した高さ保持部材１７により上側水平脚部１２が床面に支持されたときに、床面と上側水平脚部１２の下側の間に生じる空間に、すっぽりと収まるように形成されている（図１１参照）。また、下側水平脚部１３における先端側の下面には、ゴム等を素材として用いた円形の滑り止め部材１８が付設されている。
【００８３】
さらに、下側水平脚部１３は、図１０（ａ）に示すように、基端側部分における上面に、上方に向けて突出させた柱部１５を有している。この柱部１５は、全体として長方形状に形成され、柱部１５の中央にネジ挿通孔を設けている。また、柱部１５は、上側水平脚部１２の下方の切り欠いた段差面部１４ｂの深さと一致する高さを有している。この下側水平脚部１３の柱部１５は、上側水平脚部１２における下方の切り欠いた段差面部１４ｂの形状に合致するものである。
【００８４】
このように形成された上側水平脚部１２と下側水平脚部１３は、図１０（ａ）（ｂ）に示すように、ネジ１６を介して、それぞれが水平方向に旋回できるように縦枠部４に取り付けられている。このとき、各々のフェンス体１ａ，１ｂの縦枠部４の下端部には、例えば、ナット部材や筒ネジ等の埋め込みのもの（例えば、鬼目ナット等）を用いて、ネジ孔が形成されている。
【００８５】
また、縦枠部４に取り付けた上側水平脚部１２と下側水平脚部１３においては、各々の滑り止め部材１８が床面に当接して、各々のフェンス体１ａ，１ｂが立っている状態を維持するのである。
【００８６】
加えて、室内用フェンス装置Ｐの直立手段Ｒは、図３・図４に示すように、各々のフェンス体１ａ，１ｂにおける横枠部３の水平状態を維持する固定脚部１９を備えている。
【００８７】
前記したように、直立手段Ｒとしての上側水平脚部１２と下側水平脚部１３が、各々のフェンス体１ａ，１ｂにおける縦枠部４の下端部に取り付けられていることから、積み重ねている上側水平脚部１２と下側水平脚部１３の高さ分だけ、横枠部３が上方に持ち上げられてしまう。
【００８８】
その為、上側水平脚部１２と下側水平脚部１３の取り付け位置から若干離れている横枠部３の下部において、固定脚部１９を下方に向けて突設し、横枠部３の他方側を持ち上げることにより、横枠部３の水平状態を維持するのである。この固定脚部１９は、図３・図４に示すように、各々のフェンス体１ａ，１ｂにおいて、横枠部３の中央より若干開放部寄りに設けられている
【００８９】
次に、以上のように構成された本発明の実施の形態について、組立・使用の一例を説明する。
【００９０】
室内用フェンス装置Ｐの使用に際し、先ず、室内用フェンス装置Ｐの長さを決定する。
【００９１】
この場合、一対のフェンス体１ａ，１ｂを互いにフリーな状態にし、各々の縦枠部４を外側に配置した状態で、一方のフェンス体１ａの下向きフック部材５のスリット部１１に他方のフェンス体１ｂに並設されている任意の位置の縦方向の棒状部材Ｌ１を宛がう（図７（ａ）参照）。すると、他方のフェンス体１ｂの上向きフック部材６のスリット部１１に導入される一方のフェンス体１ａの所定の棒状部材Ｌ１が、上向きフック部材６のスリット部１１に自ずと宛がわれる（図９（ａ）参照）。
【００９２】
この状態で、一方のフェンス体１ａを他方のフェンス体１ｂに向けて若干押し込むことで、ぞれぞれのスリット部１１に棒状部材Ｌ１が導入される（図７（ａ）・図９（ａ）参照）。
【００９３】
このように、一方のフェンス体１ａの下向きフック部材５のスリット部１１に、他方のフェンス体１ｂに並設されている任意の位置の棒状部材Ｌ１を宛がう（他方のフェンス体１ｂの上向きフック部材６のスリット部１１に、一方のフェンス体１ａに並設されている任意の位置の棒状部材Ｌ１を宛がう）ことにより、他方のフェンス体１ｂの上向きフック部材６のスリット部１１に導入される一方のフェンス体１ａの棒状部材Ｌ１が自ずと定まり（一方のフェンス体１ａの下向きフック部材５のスリット部１１に導入される他方のフェンス体１ｂの棒状部材Ｌ１が自ずと定まり）、室内用フェンス装置Ｐの長さを自由に調整できる。
【００９４】
このとき、図６（ａ）（ｂ）、図８（ａ）（ｂ）に示すように、一方のフェンス体１ａの側面全体と他方のフェンス体１ｂの側面全体が重なり合うときは、室内用フェンス装置Ｐが最も短くなっている状態となる。また、図５に示すように、一方のフェンス体１ａの側面と他方のフェンス体１ｂの側面において、重なり合う部分が少なくなるほど、室内用フェンス装置Ｐが長くなっている状態となる。
【００９５】
室内用フェンス装置Ｐの長さが決まったときは、一方のフェンス体１ａを若干下方に降ろすことで、一方のフェンス体１ａの下向きフック部材５を他方のフェンス体１ｂの横枠部３に載せて掛止する（図７（ｂ）参照）。同時に、一方のフェンス体１ａの横枠部２を、他方のフェンス体１ｂの上向きフック部材６に載せて掛止する（図９（ｂ）参照）。これにより、室内用フェンス装置Ｐの長さが確実に保持されるのである。
【００９６】
次に、直立手段Ｒとしての上側水平脚部１２と下側水平脚部１３を旋回させて、各フェンス体１ａ，１ｂの設置時における好ましい状況を実現させる。
【００９７】
例えば、図１２に示すように、玄関の近くで所定の通路を形成している床面において、左右の側壁Ｑの間に室内用フェンス装置Ｐを設置する場合には、ネジ１６を緩めて、上側水平脚部１２と下側水平脚部１３を、各々のフェンス体１ａ，１ｂにおける横枠部３の表面・裏面に直交する位置に旋回させる。
【００９８】
そして、図１０（ａ）に示すように、上側水平脚部１２と下側水平脚部１３の先端部同士を反対向きとし、上側水平脚部１２と下側水平脚部１３を直線状に配置する。
【００９９】
このとき、図１０（ａ）（ｂ）に示すように、上側水平脚部１２の上方の切り欠いた段差面部１４ａを、縦枠部４の下端面に係合させる。また、上側水平脚部１２の下方の切り欠いた段差面部１４ｂに、下側水平脚部１３の柱部１５を係合させた後、ネジ１６を回転させてきつく締め付けて、上側水平脚部１２と下側水平脚部１３を固定する。
【０１００】
また、図１３に示すように、所定の通路を形成している床面において、左右の側壁Ｑの手前側に室内用フェンス装置Ｐを設置する場合には、ネジ１６を緩めてから、図１１に示すように、上側水平脚部１２と下側水平脚部１３の先端部同士が同一方向を向いている位置に旋回させる。
【０１０１】
このとき、図１１に示すように、上側水平脚部１２における下方の切り欠いた段差面部１４ｂに、下側水平脚部１３の柱部１５を係合させる。この状態でネジ１６を回転させてきつく締め付けて、上側水平脚部１２と下側水平脚部１３を固定する。
【０１０２】
そして、図１３に示すように、室内用フェンス装置Ｐについて、上側水平脚部１２と下側水平脚部１３が存在していない各々のフェンス体１ａ，１ｂの表面を壁面に当接するようにして、室内用フェンス装置Ｐを床面に設置するのである。
【０１０３】
一方、室内用フェンス装置Ｐを床面から撤去するときは、組み付けている各フェンス体１ａ，１ｂにおいて、一方のフェンス体１ａを若干上方に持ち上げて、一方のフェンス体１ａの下向きフック部材５を、他方のフェンス体１ｂの下側に位置している横枠部３から離脱させる。
【０１０４】
同時に、一方のフェンス体１ａの上側に位置している横枠部２を、他方のフェンス体１ｂの上向きフック部材６から離脱させる。このように、各々のフェンス体１ａ，１ｂ同士の組み付け状態を解除して、各々のフェンス体１ａ，１ｂを互いにフリーな状態とする。
【０１０５】
そして、一方のフェンス体１ａを移動させて、図６（ａ）（ｂ）、図８（ａ）（ｂ）に示すように、一方のフェンス体１ａの側面全体と他方のフェンス体１ｂの側面全体が重なり合うような位置（一対のフェンス体１ａ，１ｂが最も短くなっている状態）で、再度、一方のフェンス体１ａの下向きフック部材５を他方のフェンス体１ｂの下側に位置している横枠部３に宛がい、一方のフェンス体１ａを若干下方に降ろすことで、図７（ａ）（ｂ）に示すように、一方のフェンス体１ａの下向きフック部材５を他方のフェンス体１ｂの下側に位置している横枠部３に載せて掛止する。同時に、図９（ａ）（ｂ）に示すように、一方のフェンス体１ａの上側に位置している横枠部２を、他方のフェンス体１ｂの上向きフック部材６に載せて掛止する。
【０１０６】
この一対のフェンス体１ａ，１ｂが最も短くなっている状態において、図１４に示すように、上側水平脚部１２の長手方向、下側水平脚部１３の長手方向のそれぞれを、各々のフェンス体１ａ，１ｂの横枠部３の長手方向と並行となるように旋回させ、室内用フェンス装置Ｐをコンパクトに収納するのである。この室内用フェンス装置Ｐの収納時には、縦枠部４の下端面と、上側水平脚部１２の板片２１との間に、若干の隙間が生じている状態となっている。
【０１０７】
さらに、下側水平脚部１３は、上側水平脚部１２よりも短く形成されているので、図１４に示すように、上側水平脚部１２と下側水平脚部１３を積み重ねたとき、下側水平脚部１３は、上側水平脚部１２の下側にすっぽりと収まる。その為、図１５・図１６に示すように、室内用フェンス装置Ｐをコンパクトに収納することができる。
【０１０８】
この他、図１７乃至図２０には、室内用フェンス装置Ｐの他の構成例が示されている。
【０１０９】
この室内用フェンス装置Ｐは、直立手段Ｒを、各々のフェンス体１ａ，１ｂにおける下側に位置している横枠部３の内部に取り付けて、室内用フェンス装置Ｐの水平状態を維持する固定脚部１９を排除したものである。この室内用フェンス装置Ｐは、横枠部３に直立手段Ｒを内包させているのである。
【０１１０】
尚、直立手段Ｒを内包している横枠部３以外の構成は、図１乃至図１６に示した室内用フェンス装置Ｐと基本的に同一であることから、その構成が同一の部分には同一の符号を付すことにより、その詳細な説明を省略する。
【０１１１】
各々のフェンス体１ａ，１ｂにおいて、直立手段Ｒを内包している横枠部３は、図１７・図１９（ａ）（ｂ）に示すように、縦枠部４寄りに横長の切欠部３ａを設けている。また、切欠部３ａによって生じている所定の空間を維持するようにして、横枠部３に縦枠部４が固定されている。その為、縦枠部４の下方においても、所定の空間が存在することとなる（図１９（ａ）（ｂ）参照）。
【０１１２】
この横枠部３の切欠部３ａよって生じている空間と、縦枠部４の下方に生じている空間は連設しており、図１８・図２０に示すように、積み重ねた状態の上側水平脚部１２と下側水平脚部１３をすっぽりと収めることのできる深さと長さを有している。
【０１１３】
このような空間を有する横枠部３と縦枠部４において、縦枠部４の下端面に上側水平脚部１２と下側水平脚部１３を旋回可能に取り付けているのである。
【０１１４】
さらに、図２１乃至図２４には、室内用フェンス装置Ｐの直立手段Ｒについて、他の構成例が示されている。
【０１１５】
尚、直立手段Ｒ以外の構成は、図１乃至図１６に示した室内用フェンス装置Ｐと基本的に同一であることから、その構成が同一の部分には同一の符号を付すことにより、その詳細な説明を省略する。
【０１１６】
この室内用フェンス装置Ｐの直立手段Ｒは、図２３・図２４に示すように、各々のフェンス体１ａ，１ｂにおいて下側に配置されている横枠部３に取り付けた水平板部材２０によって形成されている。
【０１１７】
具体的には、図２３・図２４に示すように、下側に位置している横枠部３の下面に、その長手方向に沿って、直立手段Ｒを形成する長方形状の水平板部材２０が固着されている。水平板部材２０は、横枠部３に固定している縦枠部４において、横枠部３・縦枠部４と同一の長さを有している。
【０１１８】
この水平板部材２０は、図２１・図２２に示すように、各々のフェンス体１ａ，１ｂの裏面同士を組み付けたとき、室内用フェンス装置Ｐの下端側において支障が生じないようにするために、水平板部材２０の長手方向に沿った一方の側辺が横枠部３と縦枠部４に固着され、他方の側辺が、表向きに突出した状態となるように取り付けられている。
【０１１９】
加えて、図２５乃至図２８には、各々のフェンス体１ａ，１ｂと直立手段Ｒについて、さらなる他の構成例が示されている。本例における直立手段Ｒは、各々のフェンス体１ａ，１ｂの下側に配置していた横枠部３を排除し、水平板部材２０を直接的に固定したものである。
【０１２０】
具体的には、各々のフェンス体１ａ，１ｂは、図２７・図２８に示すように、所定の間隔を保持して上下に配置されている横枠部２、水平板部材２０と、横枠部２，水平板部材２０の一端部同士を連結した縦枠部４により、全体が略コ字形に形成されている。
【０１２１】
また、横枠部２と水平板部材２０との間には、縦枠部４に沿うように複数の縦方向の棒状部材Ｌ１が並設されている。これらの棒状部材Ｌ１の上部と下部には、横方向の棒状部材Ｌ２が付設されている。
【０１２２】
水平板部材２０は、図２５・図２６に示すように、各々のフェンス体１ａ，１ｂの裏面同士を組み付けたときに、室内用フェンス装置Ｐの下端側において支障が生じないようにするために、水平板部材２０の長手方向に沿った一方の側辺が縦枠部４と複数の棒状部材Ｌ１に固着され、他方の側辺が、互いに表向きに突出した状態となるように取り付けられている。
【０１２３】
このとき、掛止手段Ｆは、一方のフェンス体１ａに設けている下向きフック部材５と、他方のフェンス体１ｂに設けている上向きフック部材６により構成されている。
【０１２４】
このうち、掛止手段Ｆの一方を構成する下向きフック部材５は、図２６・図２８に示すように、水平板部材２０の裏面側にタッピングネジ等によってネジ止め固定される矩形板状の取付ベース部と、取付ベース部の上端縁から水平に延びた水平面部と、水平面部先端から下方に延びた垂直面部とから成り、垂直面部の下端中央から水平面部にかけて、棒状部材Ｌ１を導入するためのスリット部が設けられている。この一方のフェンス体１ａに設けている下向きフック部材５の水平面部８は、図２６に示すように、他方のフェンス体１ｂにおける水平板部材２０に掛止できる幅を有している。
【産業上の利用可能性】
【０１２５】
本発明は、室内における床面の所定の場所に設置して、幼児や、種々のペット類、ボール等の玩具類等が、室内の特定の場所に侵入してしまう事態の発生を防止する以外に、例えば、室内における間仕切りとして使用する等、幅広く利用することができる。
【符号の説明】
【０１２６】
Ｐ…室内用フェンス装置
Ｆ…掛止手段
Ｒ…直立手段
Ｌ１…縦方向の棒状部材
Ｌ２…横方向の棒状部材
Ｑ…側壁
１ａ…フェンス体
１ｂ…フェンス体
２…横枠部
３…横枠部
３ａ…切欠部
４…縦枠部
５…下向きフック部材
６…上向きフック部材
７…取付ベース部
８…水平面部
９…垂直面部
１０…斜行面部
１１…スリット部
１２…上側水平脚部
１３…下側水平脚部
１４ａ…段差面部
１４ｂ…段差面部
１５…柱部
１６…ネジ
１７…高さ保持部材
１８…滑り止め部材
１９…固定脚部
２０…水平板部材
２１…板片
【図１】
2010281148.tif 000003
【図２】
2010281148.tif 000004
【図３】
2010281148.tif 000005
【図４】
2010281148.tif 000006
【図５】
2010281148.tif 000007
【図６】
2010281148.tif 000008
【図７】
2010281148.tif 000009
【図８】
2010281148.tif 000010
【図９】
2010281148.tif 000011
【図１０】
2010281148.tif 000012
【図１１】
2010281148.tif 000013
【図１２】
2010281148.tif 000014
【図１３】
2010281148.tif 000015
【図１４】
2010281148.tif 000016
【図１５】
2010281148.tif 000017
【図１６】
2010281148.tif 000018
【図１７】
2010281148.tif 000019
【図１８】
2010281148.tif 000020
【図１９】
2010281148.tif 000021
【図２０】
2010281148.tif 000022
【図２１】
2010281148.tif 000023
【図２２】
2010281148.tif 000024
【図２３】
2010281148.tif 000025
【図２４】
2010281148.tif 000026
【図２５】
2010281148.tif 000027
【図２６】
2010281148.tif 000028
【図２７】
2010281148.tif 000029
【図２８】
2010281148.tif 000030